【手続補正書】
【提出日】平成19年11月30日(2007.11.30)
【手続補正１】
【補正対象書類名】明細書
【補正対象項目名】発明の名称
【補正方法】変更
【補正の内容】
【発明の名称】データ処理装置、データ処理方法、及び記憶媒体
【手続補正２】
【補正対象書類名】明細書
【補正対象項目名】特許請求の範囲
【補正方法】変更
【補正の内容】
【特許請求の範囲】
【請求項１】  少なくとも動画像及び音声のオブジェクトデータを含む符号化ビットストリームから分離した当該オブジェクトデータを、当該オブジェクトデータに含まれる上記動画像及び音声の同期管理のための第１の時間情報に基づき復号して再生するデータ処理装置であって、
外部からの速度変換要求に基づいて、上記動画像及び音声の同期管理のための第２の時間情報を取得する時間情報取得手段と、
上記時間情報取得手段で得られた第２の時間情報を上記第１の時間情報として設定する設定手段と、
上記音声のオブジェクトデータの復号手段に対して、上記外部からの速度変換要求により示される再生速度倍率を通知する通知手段とを備えることを特徴とするデータ処理装置。
【請求項２】  上記符号化ビットストリームは、ＭＰＥＧ−４に準拠したビットストリームを含むことを特徴とする請求項１記載のデータ処理装置。
【請求項３】  上記音声のオブジェクトデータは、再生速度変換機能を有する符号化方式によって圧縮符号化が施されたデータを含むことを特徴とする請求項１記載のデータ処理装置。
【請求項４】  復号対象データ用のバッファに対して入力された上記オブジェクトデータのアクセスユニットから、上記第１の時間情報を抽出する抽出手段を備えることを特徴とする請求項１記載のデータ処理装置。
【請求項５】  上記音声のオブジェクトデータの復号手段は、再生速度変換機能を有することを特徴とする請求項１記載のデータ処理装置。
【請求項６】  上記時間情報は、ＤＴＳ（Ｄｅｃｏｄｉｎｇ Ｔｉｍｅ Ｓｔａｍｐ）及びＣＴＳ（Ｃｏｍｐｏｓｉｔｉｏｎ Ｔｉｍｅ Ｓｔａｍｐ）を含むことを特徴とする請求項１記載のデータ処理装置。
【請求項７】  符号化された１つ又は複数の動画像及び音声のオブジェクトデータを含むビットストリームを、当該オブジェクトデータ単位で分離して復号化し、当該復号化後の１つ又は複数のオブジェクトデータを合成して出力するためのデータ処理方法であって、
上記オブジェクトデータから、上記動画像及び音声の同期管理のための第１の時間情報の領域を特定して抽出する抽出ステップと、
ユーザからの速度変換要求に基づいて、上記動画像及び音声の同期管理のための第２の時間情報を演算し、その結果を、上記第１の時間情報として設定する設定ステップと、
上記音声のオブジェクトデータを復号する音声デコーダに対して、上記ユーザからの速度変換要求に従って再生速度倍率を通知する通知ステップとを含むことを特徴とするデータ処理方法。
【請求項８】  上記ビットストリームは、ＭＰＥＧ−４のビットストリームを含むことを特徴とする請求項７記載のデータ処理方法。
【請求項９】  上記音声のオブジェクトデータは、再生速度変換機能を有する符号化方式によって圧縮符号化が施されたデータを含むことを特徴とする請求項７記載のデータ処理方法。
【請求項１０】  上記抽出ステップは、上記オブジェクトデータの復号化バッファへ入力されたアクセスユニットから、上記第１の時間情報を抽出するステップを含むことを特徴とする請求項７記載のデータ処理方法。
【請求項１１】  上記音声デコーダは、再生速度変換機能を有することを特徴とする請求項７記載のデータ処理方法。
【請求項１２】  上記時間情報は、ＤＴＳ（Ｄｅｃｏｄｉｎｇ Ｔｉｍｅ Ｓｔａｍｐ）及びＣＴＳ（Ｃｏｍｐｏｓｉｔｉｏｎ Ｔｉｍｅ Ｓｔａｍｐ）を含むことを特徴とする請求項７記載のデータ処理方法。
【請求項１３】  請求項７〜１２の何れか１項に記載のデータ処理方法の処理ステップをコンピュータに実行させるためのプログラムを記録したコンピュータ読取可能な記憶媒体。
【手続補正３】
【補正対象書類名】明細書
【補正対象項目名】０００１
【補正方法】変更
【補正の内容】
【０００１】
【発明の属する技術分野】
本発明は、例えば、ＭＰＥＧ−４の符号化ビットストリームから動画像や音声のオブジェクトデータを分離して復号化し、当該復号化後の各データを合成して出力する装置或いはシステムに用いられる、データ処理装置、データ処理方法、及びそれを実施するための処理ステップをコンピュータに実行させるためのプログラムをコンピュータが読取可能に格納した記憶媒体に関するものである。
【手続補正４】
【補正対象書類名】明細書
【補正対象項目名】００１２
【補正方法】変更
【補正の内容】
【００１２】
第３の発明は、上記第１の発明において、上記音声のオブジェクトデータは、再生速度変換機能を有する符号化方式によって圧縮符号化が施されたデータを含むことを特徴とする。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】変更
【補正の内容】
【００１７】
第７の発明は、符号化された１つ又は複数の動画像及び音声のオブジェクトデータを含むビットストリームを、当該オブジェクトデータ単位で分離して復号化し、当該復号化後の１つ又は複数のオブジェクトデータを合成して出力するためのデータ処理方法であって、上記オブジェクトデータから、上記動画像及び音声の同期管理のための第１の時間情報の領域を特定して抽出する抽出ステップと、ユーザからの速度変換要求に基づいて、上記動画像及び音声の同期管理のための第２の時間情報を演算し、その結果を、上記第１の時間情報として設定する設定ステップと、上記音声のオブジェクトデータを復号する音声デコーダに対して、上記ユーザからの速度変換要求に従って再生速度倍率を通知する通知ステップとを含むことを特徴とする。
【手続補正７】
【補正対象書類名】明細書
【補正対象項目名】００１８
【補正方法】変更
【補正の内容】
【００１８】
第８の発明は、上記第７の発明において、上記ビットストリームは、ＭＰＥＧ−４のビットストリームを含むことを特徴とする。
【手続補正８】
【補正対象書類名】明細書
【補正対象項目名】００１９
【補正方法】変更
【補正の内容】
【００１９】
第９の発明は、上記第７の発明において、上記音声のオブジェクトデータは、再生速度変換機能を有する符号化方式によって圧縮符号化が施されたデータを含むことを特徴とする。
【手続補正９】
【補正対象書類名】明細書
【補正対象項目名】００２０
【補正方法】変更
【補正の内容】
【００２０】
第１０の発明は、上記第７の発明において、上記抽出ステップは、上記オブジェクトデータの復号化バッファへ入力されたアクセスユニットから、上記第１の時間情報を抽出するステップを含むことを特徴とする。
【手続補正１０】
【補正対象書類名】明細書
【補正対象項目名】００２１
【補正方法】変更
【補正の内容】
【００２１】
第１１の発明は、上記第７の発明において、上記音声デコーダは、再生速度変換機能を有することを特徴とする。
【手続補正１１】
【補正対象書類名】明細書
【補正対象項目名】００２２
【補正方法】変更
【補正の内容】
【００２２】
第１２の発明は、上記第７の発明において、上記時間情報は、ＤＴＳ（Ｄｅｃｏｄｉｎｇ Ｔｉｍｅ Ｓｔａｍｐ）及びＣＴＳ（Ｃｏｍｐｏｓｉｔｉｏｎ Ｔｉｍｅ Ｓｔａｍｐ）を含むことを特徴とする。
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】変更
【補正の内容】
【００２４】
第１３の発明は、上記第７〜１２の発明の何れかに記載のデータ処理方法の処理ステップをコンピュータに実行させるためのプログラムをコンピュータ読取可能な記憶媒体へ記録したことを特徴とする。